(57)【特許請求の範囲】
【請求項１】
円筒状コアと、コアの両端部にそれぞれ着脱自在に取り付けられる一対のリング状フランジとを備え、前記コアの前記端部を前記フランジの孔部に嵌合し、この状態で前記コアおよび前記フランジを任意の方向に相対回動させる操作を行うことにより、両者を連結可能とし、連結状態にある前記コアおよび前記フランジを任意の方向に相対回動させる操作を行うことにより、両者を解除可能としたフランジ付き巻芯であって、
前記フランジの前記孔部の内周面には、内側端縁に沿って係合凸部が形成され、前記コアの前記端部の外周面には、外周端縁に沿って前記コアの前記端部を前記フランジの前記孔部に嵌合する際に前記係合凸部を導入する導入凹部が前記係合凸部に対応して形成され、さらに、前記コアおよび前記フランジを任意の方向に相対回動させるのに伴って前記係合凸部が移動可能に挿入される係合凹溝が形成されており、
前記係合凸部の外側壁面の軸方向に面する壁面と前記係合凹溝の内側壁面の軸方向に面する壁面のいずれか一方には凸状係合部が、他方には係合凹部が、それぞれ形成されており、前記コアおよび前記フランジを任意の方向に相対回動させるのに伴って前記係合凸部を前記係合凹溝に挿入させたときに、前記凸状係合部と前記係合凹部がスナップ係合するスナップ係合機構が備えられていることを特徴とするフランジ付き巻芯。
【発明の詳細な説明】
【技術分野】
【０００１】
本発明は、テープ、フィルム、線状体等の巻き取りや送り出しに使用されるフランジ付き巻芯に関する。
【背景技術】
【０００２】
テープ、フィルム、線状体等の被巻回物の巻き取りや送り出しに、円筒状のコアの両端部にフランジを取り付けたフランジ付き巻芯が使用されている。フランジ付き巻芯として、被巻回物を巻き付けていない状態における保管や搬送を容易にするために、フランジを円筒状コアの両端部に着脱自在に取り付け可能に構成されたフランジ付き巻芯がある。
【０００３】
このようなフランジ付き巻芯として、コアと、コアの両端部にそれぞれ着脱自在に取り付けられる一対のリング状フランジとを備えてなり、コアの両端部には、フランジの内周縁部と嵌め合わせられるように外周部分が切り欠かれた接続端部が設けられ、コアの接続端部およびフランジの内周縁部の互いに径方向に向かい合う面のうち、いずれか一方よりなる第１の面に、係合凸部が周方向に間隔をおいて複数形成されているとともに、他方よりなる第２の面に、フランジの内周縁部がコアの接続端部に嵌め合わせられる際に各係合凸部を導入するための凹所と、一端が凹所に通じるように周方向に延び、かつコアおよびフランジを所定方向に相対回動させるのに伴って各係合凸部が挿入される係合凹溝とが形成され、コアの接続端部およびフランジの内周縁部が嵌め合わせられた状態でコアおよびフランジを所定方向に相対回動させる操作を行うことにより両者を連結し、反対方向に相対回動させる操作を行うことにより両者の連結を解除できるようにしたフランジ付き巻芯が提案されている（例えば、特許文献１参照。）。
【先行技術文献】
【特許文献】
【０００４】
【特許文献１】特開２０１４−５８３９５号公報
【発明の概要】
【発明が解決しようとする課題】
【０００５】
特許文献１に記載のフランジ付き巻芯では、コアの両端部へフランジを取り付ける際のコアとフランジとの連結にあっては、コアの接続端部およびフランジの内周縁部が嵌め合わせられた状態でコアおよびフランジを予め定められた所定の一方向（連結方向）にのみ相対回動させることにより両者が連結され、逆方向では連結できない。また、コアの両端部からフランジを取り外す際のコアとフランジとの連結の解除にあっては、連結とは逆方向（解除方向）にのみ相対回動させることにより両者の連結が解除され、連結方向への相対回動では解除できない構成となっている。
【０００６】
このため、コアの両端部へのフランジの取り付けおよび取り外し作業では、作業者はコアおよびフランジの相対回動方向を常に意識して作業を行わなければならないので作業性が悪く、また、作業中の手が同じ動きを繰り返す偏った動きとなるため、大量のコアとフランジの取り付け、あるいは取り外しを連続して行う場合、作業者に疲労が溜まるといった問題がある。
【０００７】
本発明の目的は、コアの両端部へのフランジの取り付けおよび取り外し作業を容易に行えるようにし、作業者の疲労の軽減が図れるようにしたフランジ付き巻芯を提供することにある。
【課題を解決するための手段】
【０００８】
上記目的を達成するために、請求項１に記載の発明は、円筒状コアと、コアの両端部にそれぞれ着脱自在に取り付けられる一対のリング状フランジとを備え、前記コアの前記端部を前記フランジの孔部に嵌合し、この状態で前記コアおよび前記フランジを任意の方向に相対回動させる操作を行うことにより、両者を連結可能とし、連結状態にある前記コアおよび前記フランジを任意の方向に相対回動させる操作を行うことにより、両者を解除可能としたフランジ付き巻芯であって、前記フランジの前記孔部の内周面には、内側端縁に沿って係合凸部が形成され、前記コアの前記端部の外周面には、外周端縁に沿って前記コアの前記端部を前記フランジの前記孔部に嵌合する際に前記係合凸部を導入する導入凹部が前記係合凸部に対応して形成され、さらに、前記コアおよび前記フランジを任意の方向に相対回動させるのに伴って前記係合凸部が移動可能に挿入される係合凹溝が形成されており、前記係合凸部の外側壁面の軸方向に面する壁面と前記係合凹溝の内側壁面の軸方向に面する壁面のいずれか一方には凸状係合部が、他方には係合凹部が、それぞれ形成されており、前記コアおよび前記フランジを任意の方向に相対回動させるのに伴って前記係合凸部を前記係合凹溝に挿入させたときに、前記凸状係合部と前記係合凹部がスナップ係合するスナップ係合機構が備えられていることを特徴とする。
【０００９】
請求項１に記載の発明によれば、前記コアの両端部への前記フランジの取り付け作業に際しては、前記コアの前記端部の外周面に形成された前記導入凹部を前記フランジの前記孔部の内周面に形成された前記係合凸部に対応させた状態で、前記コアの前記端部を前記フランジの前記孔部に挿入することにより、前記コアの前記導入凹部へ前記フランジの前記係合凸部が導入されて、前記コアの前記端部が前記フランジの前記孔部に嵌合し、この状態で、前記コアおよび前記フランジを任意の方向に相対回動させ、前記係合凸部を前記係合凹溝に挿入させることにより前記係合凸部と前記係合凹溝とが連結し、前記コアの両端部へ前記フランジが取り付けられる。
また、前記コアの両端部からの前記フランジの取り外し作業に際しては、前記コアおよび前記フランジを任意の方向に相対回動させ、前記係合凸部を前記係合凹溝から離脱させて前記導入凹部に位置させることにより前記係合凸部と前記係合凹溝との連結が解除され、この状態で前記コアの両端部から前記フランジを引き抜くことにより前記コアの両端部から前記フランジが取り外せる。
そして、前記係合凸部の外側壁面の軸方向に面する壁面と前記係合凹溝の内側壁面の軸方向に面する壁面のいずれか一方には凸状係合部が、他方には係合凹部が、それぞれ形成されており、前記コアおよび前記フランジを任意の方向に相対回動させるのに伴って前記係合凸部を前記係合凹溝に挿入させたときに、前記凸状係合部と前記係合凹部がスナップ係合するスナップ係合機構が備えられているので、前記コアおよび前記フランジを相対回動させ、前記係合凸部を前記係合凹溝に挿入させたときに、前記係合凸部と前記係合凹溝に備えられているスナップ係合機構を構成する前記凸状係合部と前記係合凹部がスナップ係合し、前記係合凸部と前記係合凹溝との連結状態における前記コアおよび前記フランジの更なる相対回動の抵抗となり、前記コアと前記フランジの取り付け状態を維持することができる。
【発明の効果】
【００１６】
本発明に係るフランジ付き巻芯によれば、コアの端部をフランジの孔部に嵌合し、この状態でコアおよびフランジを任意の方向に相対回動させる操作を行うことにより両者を連結することができる。そして、連結状態にあるコアおよびフランジを任意の方向に相対回動させる操作を行うことにより、両者の連結を解除することができることから、コアの両端部へのフランジの取り付けおよび取り外し作業では、作業者はコアおよびフランジの相対回動方向を全く意識せずに作業を行うことができるので作業性が良く、また、作業中の手の同じ動きが偏らないので、作業者の疲労の軽減を図ることができる。更には、構成が簡単なので、製造が容易である。
【図面の簡単な説明】
【００１７】
【図１】本発明に係るフランジ付き巻芯の実施の形態の一例を示す分解斜視図である。
【図２】図１に示すフランジ付き巻芯のフランジを示す一部拡大平面図である。
【図３】図２のＡ−Ａ線断面図である。
【図４】図１に示すフランジ付き巻芯のコアを示す拡大平面図である。
【図５】図４の一部省略正面図である。
【図６】（イ）、（ロ）、（ハ）はフランジとコアの連結動作を示す展開説明図である
【発明を実施するための形態】
【００１８】
以下、本発明に係るフランジ付き巻芯の実施の形態の一例を、図面を参照して詳細に説明する。
図１乃至図６は本発明に係るフランジ付き巻芯の実施の形態の一例を示すものであり、図１は本例のフランジ付き巻芯を示す分解斜視図、図２は図１に示すフランジ付き巻芯のフランジを示す一部拡大平面図、図３は図２のＡ−Ａ線断面図、図４は図１に示すフランジ付き巻芯のコアを示す拡大平面図、図５は図４の一部省略正面図、図６（イ）、（ロ）、（ハ）はフランジとコアの連結動作を示す展開説明図である。
【００１９】
本例のフランジ付き巻芯は、円筒状のコア１と、コア１の両端部にそれぞれ着脱自在に取り付けられる一対のリング状フランジ２とからなる。
フランジ２の孔部３は、フランジ２の外面側へ突出するように設けた短筒部４により形成され、孔部３の内径、即ち短筒部４の内径はコア１の端部外径と概ね同径となっており、コア１の端部外周に嵌合・離脱可能となっている。孔部３となる短筒部４の内周面（フランジ２の内周面）には、フランジ２の内面側端縁に沿って、周方向に任意の長さの係合凸部５が形成されている。
【００２０】
係合凸部５にあっては、フランジ２の内面側端縁から軸方向への幅長Ｌ１は短筒部４の軸長Ｌ２より短く、本例では短筒部４の軸長Ｌ２の概ね１／２となっている。また、短筒部４の内周面から突出する係合凸部５の突出長Ｌ３は、コア１の肉厚長Ｌ４未満であり、強度の面からコア１の肉厚長Ｌ４の概ね１／２であることが好ましい。このように構成される係合凸部５にあっては、周方向に所定の間隔を空けて複数形成されていることが好ましい。本例では図２に示すように、２個の係合凸部５が対向するように形成されている。
【００２１】
また、コア１の両側の端部の外周面には、外周端縁に沿ってコア１の端部をフランジ２の孔部３に嵌合する際に、係合凸部５を導入する導入凹部６が係合凸部５に対応して形成されている。導入凹部６にあっては、コア１の端部から軸方向への幅長Ｌ５は、短筒部４の軸長Ｌ２と同じ或いはそれ以上の長さとなっている。本例では、導入凹部６の幅長Ｌ５は、短筒部４の軸長Ｌ２と同じ長さとなっている。また、導入凹部６の深さ長Ｌ７は、係合凸部５の突出長Ｌ３と概ね同じ長さとなっている。導入凹部６の深さ長Ｌ７と係合凸部５の突出長Ｌ３の誤差は、±１．５％以内であることが好ましい。
【００２２】
さらに、コア１の両側の端部の外周面における非導入凹部面７には、導入凹部６の深さ長Ｌ７と同じ深さ長で且つ係合凸部５の幅長Ｌ１と概ね同じ長さの幅長Ｌ６を有し、係合凸部５を移動可能に挿入する係合凹溝８が、導入凹部６の軸方向の段面９に沿って周方向に、左右に存在する導入凹部６と連通するように設けられている。
【００２３】
また、係合凸部５と係合凹溝８には、いずれか一方に凸状係合部１０が、他方に係合凹部１１が、それぞれ形成されており、コア１およびフランジ２を相対回動させて係合凸部５を係合凹溝８に挿入したときに、凸状係合部１０と係合凹部１１がスナップ係合するスナップ係合機構１２が備えられている。
本例では、凸状係合部１０が係合凸部５の外側壁面１３に形成され、係合凹部１１が係合凹溝８の内側壁面１４に形成されている。凸状係合部１０が係合凹溝８の内側壁面１４に形成され、係合凹部１１が係合凸部５の外側壁面１３に形成されていてもよいが、本例の方が好ましい。
なお、図中１５はフランジ２の外面側に設けられた補強用リブである。
【００２４】
このように構成したフランジ付き巻芯によれば、コア１の両端部へのフランジ２の取り付けおよび取り外しは、次のように行われる。
コア１の両端部へのフランジ２の取り付けにあっては、コア１の端部の外周面に形成された導入凹部６をフランジ２の孔部３の内周面に形成された係合凸部５に対応させた状態で（図６（イ））、コア１の端部をフランジ２の孔部３に挿入する。これにより、コア１の導入凹部６へフランジ２の係合凸部５が導入されて、コア１の端部がフランジ２の孔部３に嵌合する。コア１の端部のフランジ２の孔部３への挿入は、係合凸部５の内側壁面１６がコア１の導入凹部６の軸方向の段面９に当接するまで挿入する（図６（ロ））。
この状態から、コア１およびフランジ２を任意の方向に相対回動させ、係合凸部５を係合凹溝８に挿入させることにより係合凸部５と係合凹溝８とが連結し、コア１の両端部へフランジ２が取り付けられる（図６（ハ））。
【００２５】
本例では、孔部３となる短筒部４の内周面周方向に２個の係合凸部５が対向するように形成されており、導入凹部６及び係合凹溝８は、係合凸部５に対応して周方向に同数形成されているので、係合凸部５と係合凹溝８とは周方向の２箇所で連結し、コア１とフランジ２の安定した取り付け状態が得られる。
【００２６】
また、本例では、係合凸部５の外側壁面１３に形成された凸状係合部１０と、係合凹溝８の内側壁面１４に形成された係合凹部１１とで構成されるスナップ係合機構１２が備えられているので、係合凸部５を係合凹溝８に挿入させたときに、スナップ係合機構を構成する凸状係合部１０と係合凹部１１がスナップ係合するので、係合凸部５と係合凹溝８との連結状態におけるコア１およびフランジ２の更なる相対回動の抵抗となり、コア１とフランジ２の取り付け状態が維持される。
【００２７】
コア１の両端部からのフランジ２の取り外しにあっては、コア１およびフランジ２を任意の方向に相対回動させ、係合凸部５を係合凹溝８から離脱させて導入凹部６に位置させる。これにより係合凸部５と係合凹溝８との連結が解除され、この状態でコア１の両端部からフランジ２を引き抜くことによりコア１の両端部からフランジ２が取り外せる。
【符号の説明】
【００２８】
１  コア
２  フランジ
３  孔部
４  短筒部
５  係合凸部
６  導入凹部
７  非導入凹部面
８  係合凹溝
９  段面
１０  凸状係合部
１１  係合凹部
１２  スナップ係合機構
１３  外側壁面
１４  内側壁面
１５  補強用リブ
１６  内側壁面
【図１】
0006508984.tif 000002
【図２】
0006508984.tif 000003
【図３】
0006508984.tif 000004
【図４】
0006508984.tif 000005
【図５】
0006508984.tif 000006
【図６】
0006508984.tif 000007